(57)【要約】少なくとも１つの基地局（Ｂ）および／または１つのデータキャリア（Ｄ１、Ｄ２）を備え、［ａ］基地局（Ｂ）は少なくとも１つの識別パターン（Ｐ）を備える少なくとも１つのコマンド信号および／またはデータ信号（Ｋ、Ｃ）を発信し、［ｂ］少なくとも１つのデータキャリア（Ｄ１、Ｄ２）は基地局（Ｂ）により送信された、識別パターン（Ｐ）を備えるコマンド信号および／またはデータ信号（Ｋ、Ｃ）を受信し、［ｃ］コマンド信号および／またはデータ信号（Ｋ、Ｃ）を受信した少なくとも１つのデータキャリア（Ｄ１、Ｄ２）はコマンド信号および／またはデータ信号（Ｋ、Ｃ）に対する応答である応答信号（Ａ１、Ａ２）を基地局（Ｂ）に送信し、［ｄ］基地局（Ｂ）はデータキャリア（Ｄ１、Ｄ２）により送信された応答信号（Ａ１、Ａ２）を受信する、基地局（Ｂ）と、暗号モードまたは普通モードで動作する多数の移動データキャリア（Ｄ１、Ｄ２）との間で信号（Ｋ、Ｃ；Ａ１、Ａ２）を送信するための方法およびシステムを可能にすること。データの信頼性のある送信を簡単であるが効果的に保証するようにさらに開発するため、識別パターン（Ｐ）は、暗号モードで動作する少なくとも１つのデータキャリア（Ｄ１）をアドレスする場合には暗号モードを識別する少なくとも１つの第１の識別パターン（Ｐ１）の形をとり、普通モードで動作する少なくとも１つのデータキャリア（Ｄ２）をアドレスする場合には第１の識別パターン（Ｐ１）と区別でき、普通モードを識別する少なくとも１つの第２の識別パターン（Ｐ２）の形をとることが提案される。
2006525727.tif 000002
【特許請求の範囲】
【請求項１】
少なくとも１つの基地局と、暗号モードまたは普通モードで動作する多数の移動データキャリアとの間で信号を送信する方法であって、
（ａ）前記基地局は、少なくとも１つの識別パターンを備える少なくとも１つのコマンド信号および／またはデータ信号を発信し、
（ｂ）少なくとも１つの前記データキャリアは、前記基地局によって発信され、前記識別パターンを備える前記コマンド信号および／またはデータ信号を受信し、
（ｃ）前記コマンド信号および／またはデータ信号を受信した少なくとも１つの前記データキャリアは、前記コマンド信号および／またはデータ信号への応答である応答信号を前記基地局に送信し、
（ｄ）前記基地局は前記データキャリアによって送信された前記応答信号を受信し、
前記識別パターンは
暗号モードで動作する少なくとも１つのデータキャリアをアドレスするための、暗号モードを識別する少なくとも１つの第１の識別パターンの形をとり、また
普通モードで動作する少なくとも１つのデータキャリアをアドレスするための、前記第１の識別パターンと区別することができ、普通モードを識別する少なくとも１つの第２の識別パターンの形をとる、ことを特徴とする方法。
【請求項２】
例えば、少なくとも１つのコード違反の形をとる前記識別パターンが、データから区別できることを特徴とする請求項１に記載の方法。
【請求項３】
前記第１の識別パターンおよび前記第２の識別パターンが
それぞれのコード違反、特にそれぞれのコード違反の形に関して、および／または
それぞれの長さに関して、および／または
それぞれの開始パターンに関して
互いに異なることを特徴とする請求項１または２に記載の方法。
【請求項４】
信号を送信するためのシステムであって、
少なくとも１つの識別パターンを備える少なくとも１つのコマンド信号および／またはデータ信号を発信する少なくとも１つの基地局と、
暗号モードまたは普通モードで動作する多数の移動データキャリアであって、その少なくとも１つが
前記基地局の動作ゾーンまたは読取りゾーン、すなわち特に前記基地局の信号送信範囲の中におり、および／またはその中を移動することができ、
前記コマンド信号および／またはデータ信号を受信し、
前記基地局に、前記コマンド信号および／またはデータ信号への応答である少なくとも１つの応答信号を送信する多数の移動データキャリアを備え、
前記識別パターンは、
暗号モードで動作する少なくとも１つのデータキャリアをアドレスするための、暗号モードを識別する少なくとも１つの第１の識別パターンの形をとり、また
普通モードで動作する少なくとも１つのデータキャリアをアドレスするための、前記第１の識別パターンと区別することができ、普通モードを識別する少なくとも１つの第２の識別パターンの形をとる、ことを特徴とするシステム。
【請求項５】
例えばＩＳＭ（産業科学医療用）周波数またはＲＦ（無線周波数）を利用する、ただ１つの通信または送信チャネルを特徴とする請求項４に記載のシステム。
【請求項６】
前記データキャリアはそれぞれ少なくとも１つのトランスポンダの形をとることを特徴とする請求項４または５に記載のシステム。
【請求項７】
前記第１の識別パターンと前記第２の識別パターンはそれぞれ、
信号の先頭、または
信号の中、または
信号の末尾
に付与されることを特徴とする請求項４から６のいずれかに記載のシステム。
【請求項８】
例えば、少なくとも１つのコード違反の形をとる前記識別パターンが、データから区別できることを特徴とする請求項４から７のいずれかに記載のシステム。
【請求項９】
前記第１の識別パターンと前記第２の識別パターンとが
それぞれのコード違反、特にそれぞれのコード違反の形に関して、および／または
それぞれの長さに関して、および／または
それぞれの開始パターンに関して
互いに異なることを特徴とする請求項４から８のいずれかに記載のシステム。
【請求項１０】
信号を送信するための請求項４から９のいずれかに記載のシステム用の基地局。
【請求項１１】
信号を送信するための請求項４から９のいずれかに記載のシステム用の移動データキャリア。
【請求項１２】
識別またはアクセス制御システム（いわゆるＰＫＥ（パッシブ・キーレス・エントリ）システム）における非接触型チップ・カード、
自動車キーにおけるイモビライザ用の装置、
例えば空港での、荷物取扱い作業における荷物の自動分配および分類に用いる電子式荷物標識（「荷物タグ」）、および
小荷物および小包の輸送における分類および追跡のための電子メモリ
のためにクラッシュ・フリーな信号送信を行なうための、請求項１から３のいずれかに記載の方法および／または請求項４から９のいずれかに記載の少なくとも１つのシステムおよび／または請求項１０に記載の少なくとも１つの基地局および／または請求項１１に記載の少なくとも１つのデータキャリアの使用。
【発明の詳細な説明】
【技術分野】
【０００１】
本発明は、少なくとも１つの基地局と、暗号モードまたは普通モードで動作する多数の移動データキャリアとの間で信号を送信する方法に関し、この方法では
（ａ）基地局は、識別パターンを備える少なくとも１つのコマンド信号および／またはデータ信号を発信し、
（ｂ）少なくとも１つのデータキャリアは、識別パターンを備える、基地局によって送信されたコマンド信号および／またはデータ信号を受信し、
（ｃ）コマンド信号および／またはデータ信号を受信した少なくとも１つのデータキャリアは、コマンド信号および／またはデータ信号に対する応答である応答信号を基地局に送信し、
（ｄ）基地局は、データキャリアによって送信された応答信号を受信する（刊行物欧州特許出願公開第１  ２２５  ５３６号を参照のこと）。
【０００２】
本発明はまた、信号を送信するためのシステムに関し、このシステムは
−少なくとも１つの識別パターンを備える少なくとも１つのコマンド信号および／またはデータ信号を発信する少なくとも１つの基地局と、
−暗号モードまたは普通モードで動作する多数の移動データキャリアのうち、少なくとも１つが
−基地局の動作ゾーンまたは読取りゾーンの中、すなわち特に基地局の信号送信範囲内にいること、および／またはその中を動くことができ、
−コマンド信号および／またはデータ信号を受信し、
−コマンド信号および／またはデータ信号に対する応答である応答信号を基地局に送信する多数の移動データキャリアを含む。
【０００３】
本発明はまた、信号を送信するための上述の種類のシステムのための基地局と移動データキャリアとに関する。
【背景技術】
【０００４】
以下では「トランスポンダ」とも称され、好ましくは、「読取機構」または「リーダ」とも称される基地局との間でデータが非接触で交換または転送されるように構成されている前述の種類の移動データキャリアは、識別およびアクセス制御の目的で、または移動可能なアイテム上のデータストアとして一般に使用されている。
【０００５】
この種類のデータキャリアの例としては
−識別またはアクセス制御システム（いわゆる、ＰＫＥ（パッシブ・キーレス・エントリ）システム）における非接触型チップ・カード、
−自動車キーにおけるイモビライザ用の装置、
−例えば空港での、荷物取扱い作業における荷物の自動分配および分類に用いる電子式荷物標識（「荷物タグ」）、および
−小荷物および小包の輸送における分類および追跡のための電子メモリがある。
【０００６】
上述の全ての適用例またはシステムは、トランスポンダとデータを交換するか、あるいはトランスポンダにデータを転送する基地局をもつ。
【０００７】
ただ１つ通信または送信チャネルを装備し、例えばＩＳＭ（産業科学医療用）周波数またはＲＦ（無線周波数）で動作し、基地局と多数の移動データキャリアとを有するシステムの場合、基地局の動作ゾーンまたは読取りゾーンの中、すなわち特に基地局の信号送信範囲内に同時におり、および／またはその中を移動している複数のデータキャリアが存在する可能性があり、トランスポンダが例えば取り付けられた荷物と共に空間内を移動する程度まで、新たなトランスポンダが動作ゾーンまたは読取りゾーンに入り、他のトランスポンダが動作ゾーンまたは読取りゾーンを出る。
【０００８】
この種のシステムにおいて基地局とトランスポンダとの間で信頼できるデータの交換または転送が確実に行なわれるようにするために、基地局が例えば一連のアンチクラッシュ・コマンドなどのコマンド信号および／またはデータ信号を送信し、トランスポンダは応答信号でこのコマンド信号および／またはデータ信号に応答する、データ送信のための方法およびシステム（いわゆる、ＲＴＦ（リーダ・トーク・ファースト）方法またはＲＴＦ（リーダ・トーク・ファースト）システム）が使用される。
【０００９】
その結果、選ばれたすなわち選択されたトランスポンダとのデータの交換、あるいはそうしたトランスポンダへのデータの転送を暗号化する可能性が存在するが、このことは、多くの適用例でデータの送信は直接行なうことができるだけでなく、暗号化した形でも行なうことができることを意味する。したがって、コマンドおよび／またはデータの送信は基地局によってアドレスされたトランスポンダが分離または区別されることができるように暗号化されていない形（＝非暗号化または平文の形、あるいは「普通モード」）または暗号化された形（＝「暗号モード」）で行なうことができる。
【００１０】
その結果、基地局によって暗号化モードで転送されたコマンドおよび／またはデータは
−ランダムで予測できないビット・シーケンスを表しまたは含むか、あるいは
−この種類のランダムで予測できないビット・シーケンス上にマッピングされる可能性があるという問題が生じる。
【００１１】
したがって、暗号モードにあるトランスポンダに基地局が暗号化された形で送信したコマンドまたはデータ・セグメントは、偶然に、
−他の何らかの暗号化されていないコマンドまたはデータ・セグメントと同等または対応し、および／または
−他の何らかの暗号化されていないコマンドまたはデータ・セグメントと同一であり、暗号モードにない１つまたは複数のトランスポンダもこのコマンドまたはデータ・セグメントに応答するという可能性も除外できない。従来の手順において生じるこの問題は、図１に関して以下に説明される。
【００１２】
この目的で、図１で水平に延びる時間軸に沿って
−図１の１列目の左側に
従来型識別パターンＰを備え、基地局Ｂによって発信されるコマンド信号またはデータ信号（＝コマンドＣまたはデータ、暗号化された）によって形成された時間的シーケンスが示され、
−図１の２列目の左側に
暗号モードにある第１のデータキャリア（＝トランスポンダ）Ｄ１によって次いで受信される、暗号化されたコマンド信号またはデータ信号（＝コマンドＣまたはデータ、暗号化された）によって形成された時間的シーケンスが示され、
−図１の３列目の左側に
暗号化されていないか、あるいは非暗号化された普通モードにある第２のデータキャリア（＝トランスポンダ）Ｄ２によって実質的に同時に受信されて、偶然にも第２のデータキャリアＤ２からは暗号化されていないコマンドＫと同等または対応しているように見える、すなわち、暗号化されていないコマンドＫと同一に見えるコマンド信号またはデータ信号によって形成された時間的シーケンスが示されており、基地局Ｂから実際に選ばれた（＝選択された）第１のトランスポンダＤ１への暗号化されたコマンド信号またはデータ信号Ｃの送信が行なわれている最中に、第２のトランスポンダＤ２は基地局Ｂの動作ゾーンまたは読取りゾーン内へ運ばれる。
【００１３】
したがって、図１に示すように信号が構成される場合、基地局Ｂは暗号化されたコマンドＣまたはデータ信号を発信し、それが暗号化モードまたは暗号モードにある第１のトランスポンダＤ１によって暗号化されたコマンドＣとして受信され、一方通常の非暗号化モードまたは普通モードにある第２のトランスポンダＤ２によってこれは非暗号化コマンドＫとして受信される。
【００１４】
この場合、図１の第１の（かつ唯一の）識別パターンＰはコマンドＣまたはデータ信号の開始をマークし、したがって図１に示される識別パターンは従来型の開始パターンである。
【００１５】
図１に示す図では、実際に選択されていないトランスポンダＤ２から見て、基地局Ｂから発信される暗号化されたコマンドＣまたはデータ信号は基地局Ｂからの暗号化されていないコマンドＫと正確に同等または対応している、すなわち基地局Ｂからの暗号化されていないコマンドＫと同一であると仮定されるが、それが可能であるのは、基地局Ｂによって暗号化された形で送信されるコマンドまたはデータが予測できない（ランダムな）ビット・シーケンスを構成または含むことができ、あるいはその上にマッピングすることができるからである。
【００１６】
図１に示す事例では、基地局Ｂの動作ゾーンまたは読取りゾーンにあるトランスポンダＤ１とＤ２のどちらも、すなわち
−暗号モードにある第１のトランスポンダＤ１（＝図１の２列目の右側に示す応答信号Ａ１）と
−普通モードにある第２のトランスポンダＤ２（＝図１の３列目の右側に示す応答信号Ａ２）のどちらも応答する。
【００１７】
これは、図１の右側に示されているように、２つのトランスポンダＤ１とＤ２がそれぞれ基地局Ｂヘデータ信号Ａ１とＡ２を送信することを意味する。基地局Ｂは２つのトランスポンダＤ１とＤ２から、重ね合わされたデータ信号Ａ１＋Ａ２をそのデータ中にエラーを含む状態で受信するが、これは識別または開始パターンＰ間に変化がないと基地局Ｂが２つの応答信号Ａ１＋Ａ２を互いに区別することができないからである（＝図１の１列目の右側）。
【００１８】
したがって、従来の１組の問題は次のように要約することができる。
【００１９】
第１のトランスポンダＤ１は暗号化を使用し、すなわち、暗号モードで動作し、第２のトランスポンダＤ２はそうしていない、すなわち、普通モードで動作しているので、暗号モードで動作する第１のトランスポンダＤ１は、発信されたのは暗号化されたコマンドＣだったために「正」を検出し、一方普通モードで動作する第２のトランスポンダＤ２は、基地局Ｂから送られるデータを誤ったコマンドＫとして解釈する。
【００２０】
これは、暗号モードで動作する第１のトランスポンダＤ１が、基地局Ｂからの暗号モードを対象とした原信号に正しく、当然のこととして応答するだけでなく、普通モードで動作する第２のトランスポンダＤ２も、誤ってかつ予期せぬことに応答し、第１のトランスポンダＤ１からの応答信号Ａ１と第２のトランスポンダＤ２からの応答信号Ａ２とが互いに重ね合わされるため、データ中にエラーをもたらす。
【００２１】
したがって、要するに、実際に選択されたトランスポンダＤ１と選択されなかったトランスポンダＤ２のいずれも、さらにはその時点で基地局Ｂの動作ゾーンまたは読取りゾーンにあるか、またはその中で移動している他のすべてのトランスポンダも、同時に応答することができる。ただし、このようにして生じる応答信号Ａ１、Ａ２の重ね合わせがデータ中にエラーをもたらす。
【００２２】
その上、例えば第２のトランスポンダＤ２によって誤って解釈されたコマンドＫが書込みコマンドと同等または対応、すなわち書込みコマンドと同一である場合、第２のトランスポンダＤ２のメモリ内のデータが破壊される可能性もある。
【発明の開示】
【発明が解決しようとする課題】
【００２３】
上述の欠点および短所を出発点として、先に要点を述べた従来技術に然るべき考慮を払うと、本発明の目的は、冒頭に詳述した種類の方法、および冒頭に明記した種類のシステム、基地局および／またはデータキャリアを、先に検討した問題が簡単であるが効果的に回避されるようにさらに開発し、したがってデータの暗号化送信を利用する方法およびシステムにおいてデータの信頼性のある送信を、したがってエラー率の軽減を確実なものとすることである。
【課題を解決するための手段】
【００２４】
この目的は、請求項１にその特徴が示されている方法、請求項４にその特徴が示されているシステム、請求項１０にその特徴が示されている基地局、および請求項１１にその特徴が示されているデータキャリアによって達成される。本発明の有利な実施形態および有用な改良形態は、従属クレームのそれぞれの組の特徴部分に詳述されている。
【００２５】
したがって、本発明の教示では、互いに明確に区別することができる、少なくとも２つの互いに異なる識別パターン、特に開始パターンが、例えば読取機構またはリーダの形をとる基地局と、データキャリア（トランスポンダ）との間の信頼性のあるデータの交換または転送に使用され、それによって基地局によってアドレスされる特定のデータキャリア（トランスポンダ）が互いに明確に分離または区別されるようになる。
【００２６】
このようにして、確実に
−暗号化されたコマンド信号および／またはデータ信号が、普通モードで動作する少なくとも１つのデータキャリアにより、暗号化されていないコマンド信号またはデータ信号として誤って解釈または誤解されず、
−暗号化されていないコマンド信号および／またはデータ信号が、暗号モードで動作する少なくとも１つのデータキャリアにより、暗号化されたコマンド信号またはデータ信号として誤って解釈または誤解されないようにする。
【００２７】
この目的で、少なくとも１つの第１の識別パターンが、普通モードのコマンドおよび／またはデータを識別またはマークするのに使用され、一方第１の識別パターンと異なる少なくとも１つの第２の識別パターンが、暗号モードで送信される全てのコマンドおよび／またはデータを識別またはマークする。
【００２８】
本発明の特に有利な実施形態によれば、第１の識別パターンおよび／または第２の識別パターンも、例えば少なくとも１つのコード違反としてデータから明確に区別することができる。
【００２９】
この種類の識別または開始パターンは、データ・ストリームそのものの中に少なくとも１つのコーディング・エラーを意図的に生じさせることができ、このプロセスは
−様々な形のコード違反を用いて、および／または
−様々な長さを用いて、および／または
−様々な開始パターンを用いて
有利に実施することができる。
【００３０】
既に先に述べたように、本発明によれば、第１の開始パターンは標準または普通モードのコマンドを識別するのに使用することができ、一方第２の開始パターンは暗号モードで送信される全てのデータを識別することができる。
【００３１】
これは、普通モードで動作するトランスポンダが、暗号モードで送信されるコマンドまたはデータを、誤って自らを対象とするコマンドと解釈する可能性を除外するのに有利な方法であり、したがって、暗号モードで動作するトランスポンダが、普通モードで送信されるコマンドまたはデータを、誤って自らを対象とするコマンドと解釈する可能性も同様に除外される。
【００３２】
上述のように、（第１または第２の）識別パターンが（第１または第２の）開始パターンとしても指定される場合、この（第１または第２の）パターンは信号の先頭に配置されるものと仮定される。本発明の有利な実施形態では、暗号化を識別するパターンはまた、コマンド信号またはデータ信号の末尾に、あるいはコマンド信号またはデータ信号中の所望の任意の位置に置くこともできる。
【００３３】
要約すると、本発明による方法および本発明によるシステムで達成されるものは、トランスポンダへの暗号化されたデータ送信を利用する方法およびシステムにおける信頼性のあるデータ送信、およびその結果としてのエラー率の軽減であると言える。
【００３４】
また、トランスポンダ内に格納されているデータの効果的な保護も保証されるが、これは基地局の動作ゾーンまたは読取りゾーン内におり、および／またはその中を移動している、すなわち特に基地局の信号送信範囲内におり、および／またはその中を移動しているトランスポンダが、基地局から送られるコマンドまたはデータ（セグメント）を誤って解釈する可能性が除外されるからであり、この文脈において「誤って解釈する」とは
−基地局から暗号モードで送信されたコマンド信号またはデータ信号をトランスポンダが暗号化されていないものと見なし処理する、および／または
−基地局から普通モードで送信されたコマンド信号またはデータ信号をトランスポンダが暗号化されたものと見なし処理することを意味する。
【００３５】
これらの利点を使用できるようにするために、基地局から選択された１つまたは複数のデータキャリア向けに送信される信号には、少なくとも１つの第１の識別パターンまたは第１の識別パターンと異なる少なくとも１つの第２の識別パターンが割り当てられ、信号はこのパターンによって、その選択された１つ（または複数）のデータキャリア向けに基地局によって送信されたものとしてマーキングされ、それによって基地局によりアドレスされた特定のデータキャリアが明確に分離または区別できるようにする。
【００３６】
その結果、本発明にとって本質的であるが、
−所与のコマンド信号またはデータ信号の種類および／または特徴および／または固有の性質（例えば、その信号が暗号化されたコマンド信号またはデータ信号か、それとも暗号化されていないコマンド信号またはデータ信号かなど）によって、および／または
−所与のデータキャリアの種類および／または特徴および／または固有の性質（例えばそれが暗号モードで動作するデータキャリア、特に暗号モードで動作するトランスポンダか、それとも普通モードで動作するデータキャリア、特に普通モードで動作するトランスポンダかなど）によって、
区別または差別化を行なうことができる。
【００３７】
この目的で、所与の識別パターン、特に所与の開始パターンは、本発明にとって本質的であるが、
−識別パターンが割り当てられた所与のコマンド信号またはデータ信号の種類および／または特徴および／または固有の性質（例えば、その前に置かれるか、一緒に送信されるか、またはその後ろに置かれるか）および／または
−所与の識別パターンを備えたコマンド信号またはデータ信号が適用される所与のデータキャリアの種類および／または特徴および／または固有の性質
に合わせて個別に調整することができる。
【００３８】
これは、基地局とデータキャリアとの間でデータを送信するシステムが、例えばＩＳＭ（産業科学医療用）周波数と呼ばれる周波数内でただ１つの通信または送信チャネルをもつ場合に特に有用となる。
【００３９】
それに加えて、好ましくは、所与の識別パターンをもつ少なくとも１つのコマンド信号またはデータ信号の受信に応答した応答データ信号の基地局への発信が、基地局から発信されたコマンド信号またはデータ信号の内容の残り部分に関わらず、データの送信に基地局によって選択されなかった全てのデータキャリアにおいて抑制されることは技術的に有用であることが判明している。
【００４０】
したがって、基地局から選択された１つまたは複数のデータキャリア向けに送信される信号が、適用可能な識別または開始パターンを備えるので、従来は、すなわち従来技術では単一で普遍的である識別および開始パターンとの違いが生じる。
【００４１】
これは、データキャリアすなわちトランスポンダがそれを使って様々な形態で送信される、互いに明確に区別されるコマンド信号またはデータ信号同士を区別または差別化することができる、少なくとも２つの互いに異なる識別または開始パターンが使用されていることを意味し、識別または開始パターンはまた、例えばいわゆる「コード違反」でデータから明確に区別することができる。
【００４２】
最後に、本発明は
−識別またはアクセス制御システム（いわゆる、ＰＫＥ（パッシブ・キーレス・エントリ）システム）における非接触型チップ・カード、
−自動車キーにおけるイモビライザ用の装置、
−例えば空港での、荷物取扱い作業における荷物の自動分配および分類に用いる電子式荷物標識（「荷物タグ」）、および
−小荷物および小包の輸送における分類および追跡のための電子メモリ
内でのクラッシュ・フリー信号送信における先述した種類の方法および／または先述した種類の少なくとも１つのシステムの使用に関する。
【００４３】
先に既述のように、本発明の教示を有利な形で実施し開発できる様々な方法がある。この文脈において、一方では請求項１および４にそれぞれ従属するクレームを参照すべきであり、他方ではこれらおよび本発明の他の態様は図２Ａから３Ｂに関して以下に説明する実施形態から明らかになり、説明されるであろう。
【発明を実施するための最良の形態】
【００４４】
図１から３Ｂにおいて同じまたは同様の構成、要素または機能には同じ参照番号が付けられる。
【００４５】
水平に延びる時間軸に沿って
−図２Ａの１列目の左側において
基地局Ｂ（図３Ａを参照のこと）によって発信される暗号化されたコマンド信号またはデータ信号（＝コマンドＣまたはデータ、暗号化された）によって形成された時間的シーケンス、
−図２Ａの２列目の左側において
暗号モードにある第１のデータキャリア（＝トランスポンダ）Ｄ１（図３Ａを参照のこと）によって次いで受信される、暗号化されたコマンド信号またはデータ信号（＝コマンドＣまたはデータ、暗号化された）によって形成された時間的シーケンス、および
−図２Ａの３列目の左側において
普通モードにある第２のデータキャリア（＝トランスポンダ）Ｄ２（図３Ａを参照のこと）によって実質的に同時に受信され、ただし偶然にも暗号化されていないコマンド信号またはデータ信号Ｋと同等または対応する、すなわち暗号化されていないコマンド信号またはデータ信号Ｋと同一で、したがって図２Ａおよび３Ａに示す実施形態の概略図においては、選択されなかった第２のトランスポンダＤ２から見れば基地局Ｂから発信された暗号化されたコマンド信号またはデータ信号Ｃが基地局Ｂからの暗号化されていないコマンド信号またはデータ信号Ｋと正確に同等または対応している、すなわち基地局Ｂからの暗号化されていないコマンド信号またはデータ信号Ｋと同一であると仮定される暗号化されたコマンド信号またはデータ信号によって形成された時間的シーケンスがそれぞれ示されている。
【００４６】
同様に、水平に延びる時間軸に沿って
−図２Ｂの１列目の左側において
基地局Ｂ（図３Ｂを参照のこと）によって発信される暗号化されていないコマンド信号またはデータ信号（＝コマンドＫまたはデータ、非暗号化）によって形成された時間的シーケンス、
−図２Ｂの２列目の左側において
暗号モードにある第１のデータキャリアＤ１（図３Ｂを参照のこと）によって次いで受信され、ただし偶然にも暗号化されたコマンド信号またはデータ信号Ｃと同等または対応する、すなわち暗号化されたコマンド信号またはデータ信号Ｃと同一で、したがって図２Ｂおよび３Ｂに示す実施形態の概略図においては、選択されなかった第１のトランスポンダＤ１から見れば基地局Ｂから発信された暗号化されていないコマンド信号またはデータ信号Ｋは基地局Ｂからの暗号化されたコマンド信号またはデータ信号Ｃと正確に同等または対応している、すなわち基地局Ｂからの暗号化されたコマンド信号またはデータ信号Ｃと同一であると仮定される暗号化されていないコマンド信号またはデータ信号（＝コマンドＫまたはデータ、非暗号化）によって形成された時間的シーケンス、および
−図２Ｂの３列目の左側において
普通モードにある第２のデータキャリアＤ２（図３Ｂを参照のこと）によって実質的に同時に受信される、暗号化されていないコマンド信号またはデータ信号（＝コマンドＫまたはデータ、非暗号化）によって形成された時間的シーケンスがそれぞれ示されている。
【００４７】
図２Ａおよび２Ｂで例として示した一連の信号で見られるように、図１に関して前述した問題（２つ以上の応答信号Ａ１、Ａ２の重ね合わせの結果として生じるデータ内のエラー、少なくとも１つのトランスポンダＤ２内に格納されたデータが上書きされ、したがって破壊されるリスク）は本発明によって容易に解決される。
【００４８】
この目的のため、基地局Ｂ（＝例えば、読取機構またはリーダ）から発信されるコマンド信号／データ信号ＣおよびＫの中のコマンドまたはデータは、その前に置かれ、本発明にとって本質的な形でそれぞれ第１の識別パターンＰ１と第２の識別パターンＰ２とを有するが、これらのパターンは所与のコマンド信号／データ信号ＣおよびＫの種類、特徴または固有の性質による区別をもたらす。第１の識別パターンＰ１と第２の識別パターンＰ２とはそれぞれの開始パターンについて明確に互いに異なり、したがってこの例で基地局ＢによってアドレスされるトランスポンダＤ１またはＤ２が基地局Ｂによって明確に分離すなわち区別されるようにする。
【００４９】
第１の識別パターンＰ１は暗号化または暗号モード用に設計され、一方第２の識別パターンＰ２は非暗号化モードまたは普通モード用に設計されている。
【００５０】
そういう状況であるから、第１の識別パターンＰ１は、暗号化された形で存在するコマンドＣまたは暗号化されたデータ（図２Ａおよび３Ａを参照のこと）の先頭をマークするいわゆる開始パターンとして働くが、これは、
−暗号モードで動作し、基地局Ｂ（図３Ａを参照のこと）の動作ゾーンまたは読取りゾーンに位置する第１のトランスポンダＤ１は、暗号モード用の第１の識別パターンＰ１に反応し、したがって基地局Ｂによって発信される暗号化されたコマンド信号またはデータ信号（＝コマンドＣまたはデータ、暗号化された）に応答し、その応答は応答信号Ａ１（図２Ａおよび３Ａを参照のこと）の形を取り、一方
−普通モードで動作し、同様に基地局Ｂ（図３Ａを参照のこと）の動作ゾーンまたは読取りゾーンに位置する第２のトランスポンダＤ２は、暗号モード用の第１の識別パターンＰ１に反応せず、したがって基地局Ｂによって発信される暗号化されたコマンド信号またはデータ信号（＝コマンドＣまたはデータ、暗号化された）に応答信号（図２Ａおよび３Ａを参照のこと）の形で応答しないことを意味する。
【００５１】
これと同様に、第２の識別パターンＰ２は、暗号化されていない形で存在するコマンドＫまたは暗号化されていないデータ（図２Ｂおよび３Ｂを参照のこと）の先頭をマークするいわゆる開始パターンとして働くが、これは、
−暗号モードで動作し、基地局Ｂ（図３Ｂを参照のこと）の動作ゾーンまたは読取りゾーンに位置する第１のトランスポンダＤ１は、普通モード用の第２の識別パターンＰ２に反応せず、したがって基地局Ｂによって発信される暗号化されていないコマンド信号またはデータ信号（＝コマンドＫまたはデータ、非暗号化）に応答信号（図２Ｂおよび３Ｂを参照のこと）の形で応答せず、一方
−普通モードで動作し、同様に基地局Ｂ（図３Ｂを参照のこと）の動作ゾーンまたは読取りゾーンに位置する第２のトランスポンダＤ２は、普通モード用の第２の識別パターンＰ２に反応し、したがって基地局Ｂによって発信される暗号化されていないコマンド信号またはデータ信号（＝コマンドＫまたはデータ、非暗号化）に応答信号（図２Ｂおよび３Ｂを参照のこと）の形で応答することを意味する。
【００５２】
例えば、長さがわずか１ビットである第２の識別パターンＰ２は、その開始パターンという点で第１の識別パターンＰ１と異なる。この場合、第１の識別パターンＰ１によってマークされるのは、基地局Ｂによって関連するデータ信号と共に発信された暗号化されたコマンドＣが暗号モードで動作しているトランスポンダＤ１のみに適用されていることであり、したがって、第２の識別パターンＰ２がマークするのは、基地局Ｂによって関連するデータ信号と共に発信された暗号化されていないコマンドＫが普通モードで動作しているトランスポンダＤ２のみに適用されることである。
【００５３】
この場合、識別パターンＰ１またはＰ２は必ずしもコマンド信号またはデータ信号ＣまたはＫの先頭に置く必要はなく、データ送信の中またはその末尾の所望の任意の位置に置くことができる。
【００５４】
しかし、暗号化された信号Ｃが第１の識別パターンＰ１でマークされ、一方暗号化されていない信号Ｋは第２の識別パターンＰ２でマークされることが、区別をつける上での規準となる。したがって、これに基づいて、２つのトランスポンダＤ１、Ｄ２は識別パターンＰ１またはＰ２を参照することにより、関与しているのが、選択された第１のトランスポンダＤ１用のコマンド信号またはデータ信号Ｃ、または選択された第２のトランスポンダＤ２用のコマンド信号またはデータ信号Ｋのいずれかを検出することができる。
【００５５】
したがって、送信プロトコルにおける識別パターンＰ１またはＰ２、特に開始パターンの変化により、基地局ＢとトランスポンダＤ１、Ｄ２の間における円滑で信頼性があって欠点のないデータ交換または転送が保証されるが、そうなるのは、基地局Ｂからの暗号化されたコマンド信号またはデータ信号Ｃが、基地局Ｂからの暗号化されていないコマンド信号またはデータ信号Ｋから、それぞれの識別パターンＰ１およびＰ２によって常に区別されているからである。
【００５６】
したがって、基地局Ｂが、第１の識別または開始パターンＰ１（図２Ａの１列目の左側の半分および図３Ａを参照のこと）を備えるこの種類のコマンド信号またはデータ信号Ｃを発信する場合、言い換えれば、基地局Ｂは暗号化されたコマンド信号またはデータ信号Ｃを送るが、この信号の識別または開始パターンは、このコマンド信号またはデータ信号Ｃを選択された第１のトランスポンダＤ１向けだけに送信されたものとしてマークする第１の値Ｐ１に設定されており、かつ、このコマンド信号またはデータ信号Ｃを、選択された第１のトランスポンダＤ１（図２Ａの２列目の左側の半分および図３Ａを参照のこと）と、選択されなかった第２のトランスポンダＤ２（図２Ａの３列目の左側の半分および図３Ａを参照のこと）のどちらも受信する場合、いずれのトランスポンダＤ１、Ｄ２も、問題のコマンド信号またはデータ信号が、暗号モードにあり、したがって選択されたトランスポンダ専用であることを認識する。
【００５７】
第２のトランスポンダＤ２は非暗号化モードまたは普通モードにあり、したがって非選択状態にあるため、基地局Ｂによって発信されたコマンド信号またはデータ信号Ｃを無視するが、仮に第１の識別または開始パターンＰ１、すなわち識別または開始パターンがとる第１の値Ｐ１がこの種類の動作を抑制しないものであった場合、第２のトランスポンダＤ２は誤ってかつ予期せぬことに、基地局Ｂによって発信された暗号化されたコマンド信号またはデータ信号の内容を、例えば第２のトランスポンダＤ２が応答可能であり、さらには応答すべきですらある暗号化されていないコマンド信号またはデータ信号Ｋとして認識するはずである。
【００５８】
これは、応答すべき第１のトランスポンダＤ１だけが応答（＝図２Ａの２列目の右側の応答信号Ａ１であり、図３Ａも参照のこと）し、選択されていない第２のトランスポンダＤ２はどんな状況下でも応答しない（＝図２Ａの３列目の右側の空白領域であり、図３Ａも参照のこと）ことを保証する。
【００５９】
したがって、基地局Ｂは、データ信号Ａ１、すなわち選択された第１のトランスポンダＤ１により応答として基地局Ｂに送信された信号をエラーなし（＝図２Ａの１列目の右側であり、図３Ａも参照のこと）で受信することができるが、これは非選択の第２のトランスポンダＤ２が応答しないからである。
【００６０】
一方、同様に、基地局Ｂが、第２の識別または開始パターンＰ２（図２Ｂの１列目の左側の半分および図３Ｂを参照のこと）を備える暗号化されていないコマンド信号またはデータ信号Ｋを発信する場合、つまり言い換えると、基地局Ｂは暗号化されていないコマンド信号またはデータ信号Ｋを送るが、この信号の識別または開始パターンは、このコマンド信号またはデータ信号Ｋが選択された第２のトランスポンダＤ２だけのために基地局によって送信されたものとしてマークするような第２の値Ｐ２に設定されている場合、およびこのコマンド信号またはデータ信号Ｋを、選択されていない（図２Ｂの２列目の左側の半分および図３Ｂを参照のこと）第１のトランスポンダＤ１、選択された（図２Ｂの３列目の左側の半分および図３Ｂを参照のこと）第２のトランスポンダＤ２のどちらも受信する場合、いずれのトランスポンダＤ１、Ｄ２も、問題のコマンド信号またはデータ信号が非暗号化モードまたは普通モードにあり、したがって選択されたトランスポンダ専用であることを認識する。
【００６１】
第１のトランスポンダＤ１は暗号化または暗号モードにあり、したがって選択状態にないため、基地局Ｂによって発信されたコマンド信号またはデータ信号Ｋを無視するが、仮に第２の識別または開始パターンＰ２、すなわち識別または開始パターンがとる第２の値Ｐ２がこの種類の行動を抑制しないものであった場合、第１のトランスポンダＤ１は誤ってかつ予期せぬことに、基地局Ｂによって発信された暗号化されたコマンド信号またはデータ信号Ｋの内容を、例えば第１のトランスポンダＤ１が応答可能であり、さらには応答すべきである暗号化されていないコマンド信号またはデータ信号Ｃとして認識するはずである。
【００６２】
これは、応答すべき第２のトランスポンダＤ２だけが応答（＝図２Ｂの３列目の右側の応答信号Ａ２であり、図３Ｂも参照のこと）し、選択されていない第１のトランスポンダＤ１はどんな状況下でも応答しない（＝図２Ｂの２列目の右側の空白領域であり、図３Ｂも参照のこと）ことを保証する。
【００６３】
したがって、基地局Ｂは、データ信号Ａ２、すなわち選択された第２のトランスポンダＤ２により応答として基地局Ｂに送信された信号をエラーなし（＝図２Ｂの１列目の右側であり、図３Ｂも参照のこと）で受信することができるが、これは非選択の第１のトランスポンダＤ１が応答しないからである。
【００６４】
したがって、移動トランスポンダＤ１、Ｄ２を備えるシステムＳ（図３Ａおよび３Ｂを参照のこと）において、本発明は所与のトランスポンダＤ１（だけ）に送信される暗号化されたコマンド信号またはデータ信号Ｃと、所与のトランスポンダＤ２（だけ）に送信される暗号化されていないコマンド信号またはデータ信号Ｋとが明確に区別されることを保証するが、これはデータキャリアＤ１およびＤ２が、それぞれ、互いに異なる形で送信されるコマンド信号またはデータ信号ＣおよびＫをそれによって差別化または区別することができるようにする、互いに異なる識別または開始パターンＰ１およびＰ２を用いて行なわれる。
【００６５】
このようにして、
−暗号化されたコマンド信号またはデータ信号Ｃが、第２のトランスポンダＤ２（図２Ａおよび３Ａを参照のこと）によって暗号化されていないコマンド信号またはデータ信号Ｋと誤って解釈または誤解されず、
−暗号化されていないコマンド信号またはデータ信号Ｋが、第１のトランスポンダＤ１（図２Ｂおよび３Ｂを参照のこと）によって暗号化されたコマンド信号またはデータ信号Ｃと誤って解釈または誤解されないことが保証される。
【００６６】
その結果、本発明は、互いに異なる識別または開始パターンＰ１およびＰ２を用いて、エラー率の低減またはデータ内のエラー回避を、したがって信頼性のあるデータ送信を可能にするが、トランスポンダへの暗号化されたデータの送信Ｃ（図２Ａおよび３Ａを参照のこと）と、暗号化されていないデータの送信Ｋ（図２Ｂおよび３Ｂを参照のこと）のどちらも利用するシステムＳ（図３Ａおよび３Ｂを参照のこと）においては特に有利なように信頼性のあるデータ送信を可能にし、これは原則的にこの特定の実施形態で実際に使用される暗号化の方法に影響を及ぼさない。
【００６７】
この目的のため、基地局Ｂが選択されたデータキャリアＤ１および選択されたデータキャリアＤ２にそれぞれ送信する信号ＣおよびＫに、本発明による方法により、それぞれ第１の識別パターンＰ１と、第１の識別パターンＰ１とは異なる第２の識別パターンＰ２とが割り当てられるが、信号ＣおよびＫは、基地局Ｂによってこれらのパターンを用いて、それぞれ、第１のデータキャリアが選択された場合にそれ向けに送信されるものとしてマークされ、第２のデータキャリアが選択された場合にそれ向けに送信されるものとしてマークされる。
【００６８】
このケースでは、基地局Ｂによりデータ送信用に選択されていないデータキャリアＤ２（図２Ａおよび３Ａを参照のこと）またはＤ１（図２Ｂおよび３Ｂを参照のこと）において、それぞれ第１の識別パターンＰ１（図２Ａおよび３Ａを参照のこと）をもつコマンド信号もしくはデータ信号Ｃ（図２Ａおよび３Ａを参照のこと）または第２の識別パターンＰ２（図２Ｂおよび３Ｂを参照のこと）をもつコマンド信号もしくはデータ信号Ｋ（図２Ｂおよび３Ｂを参照のこと）の受信に応答する応答データ信号の基地局Ｂへの発信は抑制されるが、この抑制は、基地局Ｂによって送信されるコマンド信号またはデータ信号ＣまたはＫの内容の残り部分に関係なく行なわれる。
【００６９】
この抑制または非応答は、図３Ａおよび３Ｂで、非選択のトランスポンダＤ２（図３Ａを参照のこと）またはＤ１（図３Ｂを参照のこと）から基地局Ｂに向かう、×をつけた矢印として表される。
【００７０】
既に示したように、上述の方法は図３Ａおよび３Ｂに示されているとおり、システムＳに実装される。この文脈では図３Ａおよび３Ｂの図から、基地局Ｂは移動手段（自動車）内の電子式イモビライザの形で実行されることが分かる。
【００７１】
この移動手段には、
−移動手段のドアのロックを施錠および開錠し、
−移動手段のエンジンをかける
ことができる自動車用の鍵が関連付けられている。
【００７２】
移動手段のドアのロックが施錠されるときに電子式イモビライザが起動されるように、または移動手段のドアのロックが開錠されるときに電子式イモビライザが解除されるようにするために、自動車用の鍵は（第１の）トランスポンダを備える。
【００７３】
電子式イモビライザは、この正しいデータキャリアＤ１（＝自動車用鍵の中の、例えば標準規格ＩＳＯ  １５６９３あるいは標準規格案ＩＳＯ  １８０００−２またはＩＳＯ  １８０００−３に準拠するトランスポンダ）を用い、偶然に基地局Ｂの動作ゾーンまたは読取りゾーンの中に移送されるデータキャリアＤ２（＝他の自動車用鍵の中の他のトランスポンダ）は用いずに、ただ１つの通信または送信チャネル（＜−−＞ＩＳＭ（産業科学医療用）周波数またはＲＦ（無線周波数））で解除することができる。
【図面の簡単な説明】
【００７４】
【図１】開始パターンを形成する識別パターンに変化がなく、その結果、データ内にエラーが生じる従来の方法で基地局とトランスポンダとの間で交換される従来型の一連のコマンド信号またはデータ信号の概略図である。
【図２Ａ】基地局とトランスポンダとの間で暗号化されたコマンド信号またはデータ信号が交換される場合に適用される、開始パターンに変化があり、その結果、データ内のエラーが回避される、本発明に従って構成される方法において存在する、本発明による一連の信号の実施形態の概略図である。
【図２Ｂ】基地局とトランスポンダとの間で暗号化されていないコマンド信号またはデータ信号が交換される場合に適用される、図２Ａに示す方法、すなわち開始パターンに変化があり、その結果、データ内のエラーが回避される方法において存在する、図２Ａに示すものと同様の、本発明による一連の信号の実施形態の概略図である。
【図３Ａ】図２Ａに示す本発明による方法を使用した、本発明によるシステムの実施形態の概略図である。
【図３Ｂ】図２Ｂに示す本発明による方法を使用した、図３Ａに示すようなシステムの実施形態の概略図である。
【符号の説明】
【００７５】
Ａ１  第１応答信号
Ａ２  第２応答信号
Ｂ    基地局
Ｃ    暗号コマンド信号またはデータ信号
Ｄ１  第１データキャリア（特に暗号モードで動作する第１トランスポンダ）
Ｄ２  第２データキャリア（特に普通モードで動作する第２トランスポンダ）
Ｋ    非暗号化コマンド信号またはデータ信号
Ｐ１  第１識別パターン（特に暗号モードのため特に設計された第１開始パターン）
Ｐ２  第２識別パターン（特に普通モードのため特に設計された第２開始パターン）
Ｓ    システム
【図１】
2006525727.tif 000003
2006525727.tif 000004
2006525727.tif 000005
【国際調査報告】
2006525727.tif 000006
2006525727.tif 000007